(57)【要約】      （修正有）【課題】信頼性の高い氷量検知方法を提供する。【解決手段】製氷機は、本体に取り付けられた超音波容器センサと、超音波容器センサと電気通信し、超音波容器センサを制御するように構成されているコントローラと、を含むアイスメーカと、アイスメーカに結合されており、氷の山を受け入れるような大きさに作られた貯蔵容器と、を含み、超音波容器センサのレンズは貯蔵容器の内部空洞の底部に面しており、コントローラは、超音波容器センサのリターン信号を処理し、貯蔵容器内に貯蔵された氷のレベルを制御するように構成されており、コントローラは更に、所定の時間遅延を適用して、閾値電圧は超えるがその時間遅延は超えないリターン信号の一部分をフィルタリングするように構成されている。【選択図】図１８
2020038049.tif 000002
【特許請求の範囲】
【請求項１】
本体に取り付けられた超音波容器センサと、
前記超音波容器センサと電気通信し、前記超音波容器センサを制御するように構成されているコントローラと、
を含む、アイスメーカと、
前記アイスメーカに結合されており、氷を受け入れるような大きさに作られた貯蔵容器と、
を含み、
前記超音波容器センサのレンズは、前記貯蔵容器の内部空洞の底部に面しており、
前記コントローラは、前記超音波容器センサのリターン信号を処理し、前記貯蔵容器内に貯蔵された前記氷のレベルを制御するように構成されており、
前記コントローラは更に、所定の時間遅延を適用して、閾値電圧は超えるが前記時間遅延は超えない前記リターン信号の一部分をフィルタリングするように構成されている、
製氷機。
【請求項２】
前記超音波容器センサは、前記アイスメーカのメーカ下端部からオフセットしている、請求項１に記載の製氷機。
【請求項３】
前記超音波容器センサは、前記アイスメーカの前記メーカ下端部から、前記メーカ下端部に形成された底部開口部を通して見ると、前記底部開口部によって形成された形状内に配置されている、請求項２に記載の製氷機。
【請求項４】
前記時間遅延は２００ミリ秒〜３５０ミリ秒の範囲内である、請求項１に記載の製氷機。
【請求項５】
前記超音波容器センサにより放出される信号は、７５〜８５度の視野角を画定するビューイングコーンで定義される、請求項１に記載の製氷機。
【請求項６】
前記コントローラは複数の容器制御設定を定義し、前記複数の容器制御設定は、前記超音波容器センサの前記レンズから前記貯蔵容器内の氷の目標レベルにより画定されるレベル位置までにおいて測定される氷検知距離を調整するように構成されている、請求項１に記載の製氷機。
【請求項７】
各方向に少なくとも約半インチの角氷を製造する、請求項１に記載の製氷機。
【請求項８】
レンズを含む第１の端部と、前記第１の端部から遠位にある第２の端部とを含む本体を有する超音波容器センサと、
前記超音波容器センサと電気通信し、前記超音波容器センサを制御するように構成されているコントローラであって、前記超音波容器センサのリターン信号を処理し、貯蔵容器内に貯蔵された氷のレベルを制御するように構成され、所定の時間遅延を適用して、閾値電圧は超えるが前記時間遅延は超えない前記リターン信号の一部分をフィルタリングするように構成されている、コントローラと、
を含む、製氷機の容器制御システム。
【請求項９】
前記超音波容器センサは、前記本体の前記第２の端部を画定する取付けフランジを含み、
前記取付けフランジは前記本体の軸線に対して角度を成している、請求項８に記載のシステム。
【請求項１０】
前記コントローラは複数の容器制御設定を定義し、前記複数の容器制御設定は、前記超音波容器センサの前記レンズから前記貯蔵容器内の氷の所望のレベルにより画定されるレベル位置までにおいて測定される氷検知距離を調整するように構成されている、請求項８に記載のシステム。
【請求項１１】
前記コントローラは、前記コントローラを、前記複数の容器制御設定のうちの第１の容器制御設定から前記複数の容器制御設定のうちの第２の容器制御設定に移行させるように構成されたポテンショメータを含む、請求項１０に記載のシステム。
【請求項１２】
前記超音波容器センサにより放出される信号は、８０度プラス又はマイナス５度の視野角を画定するビューイングコーンで定義される、請求項８に記載のシステム。
【請求項１３】
前記コントローラの閾値電圧設定は、距離３０インチにおける前記リターン信号の強度の３０％〜６０％の範囲内にある、請求項８に記載のシステム。
【請求項１４】
前記所定の時間遅延は２００ミリ秒〜３５０ミリ秒の範囲内である、請求項８に記載のシステム。
【請求項１５】
前記時間遅延は第１の時間遅延であり、前記第１の時間遅延は３００ミリ秒であり、第２の時間遅延は５０ミリ秒である、請求項１４に記載のシステム。
【請求項１６】
製氷機を使用する方法であって、
前記製氷機のアイスメーカの超音波容器センサから前記製氷機の貯蔵容器に音響パルスを送信することであって、前記超音波容器センサは前記アイスメーカの本体に取り付けられており、前記音響パルスは、コントローラと電気通信する前記超音波容器センサによって開始される、ことと、
前記製氷機の内部空洞内の、前記超音波容器センサの範囲内に存在する材料の表面からの前記音響パルスの反射から生じるリターン信号を受信することと、
前記リターン信号を音響信号から電気信号に変換することと、
前記電気信号に基づき前記製氷機の氷製作設定を変更することと、
閾値電圧は超えるが所定の時間遅延は超えない前記リターン信号の一部分をフィルタリングすることと、
前記リターン信号の一部分が閾値電圧を超え、且つ前記所定の時間遅延を超えると前記製氷機の前記アイスメーカによる製作をオフに切り替えることと、
を含む、方法。
【請求項１７】
前記時間遅延は２７５ミリ秒〜３２５ミリ秒の範囲内である、請求項１６に記載の方法。
【請求項１８】
前記閾値電圧は超えるが前記所定の時間遅延は超えない前記リターン信号の前記一部分をフィルタリングすることは、
第１の物体距離を反映する前記リターン信号の前記一部分を第１の時間遅延によってフィルタリングすることであって、前記第１の物体距離は距離閾値よりも近い、ことと、
第２の物体距離を反映する前記リターン信号の前記一部分を第２の時間遅延によってフィルタリングすることであって、前記第２の物体距離は前記距離閾値よりも遠い、ことと、
を含む、請求項１７に記載の方法。
【請求項１９】
前記第１の時間遅延は３００ミリ秒であり、前記第２の時間遅延は５０ミリ秒である、請求項１８に記載の方法。
【請求項２０】
前記コントローラを調節することによって第１の容器制御設定から第２の容器制御設定に移行することを更に含む、請求項１６に記載の方法。
【発明の詳細な説明】
【技術分野】
【０００１】
関連出願の相互参照
本出願は、２０１８年８月３日に出願された米国仮特許出願第６２／７１４，４１２号明細書、及び２０１８年８月３日に出願された米国仮特許出願第６２／７１４，４１４号明細書の利益を主張する。これら両方は、参照によりそれらの全体が本明細書中に特に組み込まれる。
【０００２】
本開示は、製氷機に関する。より具体的には、本開示は、製造されかつ製氷機内に貯蔵された氷の量を検知するための超音波デバイスを含むシステムに関する。
【背景技術】
【０００３】
氷レベル検出器は、氷貯蔵容器を有する製氷機において、製氷機のアイスメーカをオン及びオフにするときを制御するのに有用であり得る。より具体的には、氷貯蔵容器が空のとき、レベル検出器を含む電子回路は氷の製造を開始するようにアイスメーカのコントローラに電子的に信号送信することができる。貯蔵容器が氷で満杯になると、レベル検出器は氷の製造を一時停止するようにコントローラに電子的に信号送信することができる。商用製氷機において一般的な機械式レベル検出器及びサーモスタット式レベル検出器は、貯蔵容器内の氷と物理的接触を行うことによって貯蔵容器内の氷の存在を検知することができる。
【０００４】
製氷機において典型的ではないものの、材料の深さ又は対応する高さを検知するために超音波センサを一般に使用することができる。このようなセンサは、典型的には、送信器と、受信器と、１つ以上の変換器とを含み得る。送信器は、変換器によって音響エネルギー、すなわち、音響「パルス」に変換され得る電気信号を放出することができる。音響エネルギー信号は、その後、測定材料の表面によって反射されて超音波センサに戻るまで移動することができる。変換器は、その後、反射された信号又はリターン信号を電気信号に変換することができる。音響エネルギー信号の伝送と受信との間の移動時間により、測定材料の深さを決定することができる。しかしながら、超音波センサはそれだけでは異なる材料の存在を区別することはできず、本明細書中に記載される理由から、特定の環境においては、少なくともそれだけでは、柔軟性のない又は信頼できないレベル検知方法であり得る。
【発明の概要】
【課題を解決するための手段】
【０００５】
本発明の概要は、本開示の網羅的な概要ではないことは理解されたい。本発明の概要は例示であり限定ではなく、本開示の主要な若しくは重要な要素を特定すること又はその範囲を詳述することを意図するものではない。本発明の概要の唯一の目的は、以下の完全且つ網羅的な詳細な説明の導入として本開示の特定の概念を説明し、例示することである。
【０００６】
開示されるのは、本体に取り付けられた超音波容器センサと、超音波容器センサと電気通信し、超音波容器センサを制御するように構成されているコントローラと、を含む、アイスメーカと、アイスメーカに結合されており、氷を受け入れるような大きさに作られた貯蔵容器と、を含み、超音波容器センサのレンズは貯蔵容器の内部空洞の底部に面しており、コントローラは、超音波容器センサのリターン信号を処理し、貯蔵容器内に貯蔵された氷のレベルを制御するように構成されており、コントローラは更に、所定の時間遅延を適用し、閾値電圧は超えるがその時間遅延は超えないリターン信号の一部分をフィルタリングするように構成されている、製氷機である。
【０００７】
又、開示されるのは、製氷機の容器制御システムであって、第１の端部と、第１の端部から遠位にある第２の端部とを画定する本体を含み、第１の端部はレンズを含む、超音波容器センサと、超音波容器センサと電気通信し、超音波容器センサを制御するように構成されているコントローラであって、超音波容器センサのリターン信号を処理し、貯蔵容器内に貯蔵された氷のレベルを制御するように構成されており、所定の時間遅延を適用し、閾値電圧は超えるがその時間遅延は超えないリターン信号の一部分をフィルタリングするように構成されている、コントローラと、を含む、システムである。
【０００８】
又、開示されるのは、製氷機を使用する方法であって、製氷機のアイスメーカの超音波容器センサから製氷機の貯蔵容器に音響パルスを送信することであって、超音波容器センサはアイスメーカの本体に取り付けられており、音響パルスは、コントローラと電気通信する超音波容器センサによって開始される、ことと、製氷機の内部空洞内の、超音波容器センサの範囲内に存在する材料の表面からの音響パルスの反射から生じるリターン信号を受信することと、リターン信号を音響信号から電気信号に変換することと、電気信号に基づき製氷機の氷製作設定を変更することと、閾値電圧は超えるが所定の時間遅延は超えないリターン信号の一部分をフィルタリングすることと、リターン信号の一部分が閾値電圧を超え、且つ所定の時間遅延を超えると製氷機のアイスメーカによる製作をオフに切り替えることと、を含む、方法である。
【０００９】
本開示に記載される様々な実装形態は、本明細書中に必ずしも特に開示されないが、以下の詳細な説明及び添付の図面を考察すると当業者には明らかとなるだろう更なるシステム、方法、特徴、及び利点を含み得る。そのような全てのシステム、方法、特徴、及び利点は本開示内に含まれ、添付の特許請求の範囲によって保護されることが意図される。そのような実装形態の特徴及び利点は、添付の特許請求の範囲に特に示されるシステム、方法、特徴によって実現され、得られ得る。これら及び他の特徴は、以下の説明及び添付の特許請求の範囲からより完全に明らかになるであろう、又は以下で説明するそのような例示的な実装形態の実施によって学習され得る。
【００１０】
本明細書に組み込まれ、本明細書の一部分を成す添付の図面は、本開示のいくつかの態様を示し、明細書とともに、本開示の様々な原理を説明する役割を果たす。図面は必ずしも一定の縮尺で描かれない。図の全体を通し、対応する特徴及び構成要素は、一貫性及び明確さを目的として、一致する参照符号で示され得る。
【図面の簡単な説明】
【００１１】
【図１】本開示の一態様による、アイスメーカと貯蔵容器とを含む製氷機の正面斜視図である。
【図２Ａ】アイスメーカの外部ケーシングを取り外し、超音波容器センサを示す、図１のアイスメーカの正面斜視図である。
【図２Ｂ】アイスメーカの蒸発器ケースの前部断熱材及び上部断熱材並びにアイスメーカの圧縮器基部の基部ケースカバーを更に取り外した、図１のアイスメーカの正面斜視図である。
【図３】図１のアイスメーカの冷却回路及び水回路を示す回路図である。
【図４】図１のアイスメーカによって製作される例示的な角氷の斜視図である。
【図５】図２Ａの超音波容器センサを示す、図１のアイスメーカのメーカ下端部の底面斜視図である。
【図６】図４の角氷などの角氷の山、並びに図２Ａの超音波容器センサの出口によって定義されるレベル位置Ａと、角氷の山のレベルによって定義されるレベル位置Ｂとの間の距離の様々な設定を例示する図１の製氷機の正面図である。
【図７】図２Ａの超音波容器センサを示す、図２Ａの線７−７で取られた図２Ａのアイスメーカの詳細断面図である。
【図８】図１のアイスメーカの底面図である。
【図９】図２Ａの超音波容器センサのリターン信号を上に重ねた図１のアイスメーカの概略図である。
【図１０Ａ】音響信号から電気信号に変換後の図９のリターン信号の第１のグラフ図である。
【図１０Ｂ】音響信号から電気信号に変換後の図９のリターン信号の第２のグラフ図であり、電気信号のフィルタリングを示す。
【図１１】図２Ａの超音波容器センサとインターフェースするコントローラの平面図である。
【図１２】図１１のコントローラの調節器の詳細平面図である。
【図１３】図１１のコントローラの設定の表である。
【図１４】図１１のコントローラの容器制御状態に関連する３つの距離範囲のグラフ図である。
【図１５】オシロスコープ又はその等価物などの測定器上に現れ得る図２Ａの超音波容器センサのリターン信号のグラフ図である。
【図１６】図２Ａの超音波容器センサの底面図である。
【図１７】図２Ａの超音波容器センサの側面図である。
【図１８】図２Ａの超音波容器センサの操作のフローチャートである。
【発明を実施するための形態】
【００１２】
本開示は、以下の詳細な説明、実施例、図面、及び特許請求の範囲、並びに前述及び後述の説明を参照することによってより容易に理解することができる。しかしながら、本デバイス、システム及び／又は方法の開示及び記載に先だって、本開示は、特に指示のない限り、開示される特定のデバイス、システム及び／又は方法に限定されず、したがって、当然、変更することができることを理解されたい。本明細書中で使用される専門用語は、特定の態様を説明することのみを目的とし、限定を目的とするものではないことも理解されたい。
【００１３】
以下の説明は、本デバイス、システム、及び／又は方法の可能な教示を、その最良の、現在知られている態様として提供する。この目的のために、当業者であれば、本開示の有益な結果をなお得ながらも、本明細書中に記載される本デバイス、システム及び／又は方法の様々な態様に多くの変更を施すことができることは認識し、理解するであろう。本開示の所望の利点のいくつかは、本開示の特徴のいくつかを選択することにより、他の特徴を用いることなく得られ得ることも明らかであろう。したがって、当業者であれば、本開示に対する多くの修正及び改変は可能であり、それどころか特定の状況においては望ましい場合があり、且つ本開示の一部分であることは認識するであろう。したがって、以下の説明は、本開示の原理の例証として提供され、これを限定するものではない。
【００１４】
全体を通して使用されるように、単数形「１つの（ａ）」、「１つの（ａｎ）」及び「その（ｔｈｅ）」は、文脈で別段の明確な指示のない限り複数形指示物を含む。したがって、例えば、「１つの要素（ａｎ  ｅｌｅｍｅｎｔ）」への言及は、文脈で別段の指示のない限り、２つ以上のそのような要素を含み得る。加えて、本明細書中に記載される要素のいずれも、第１のそのような要素、第２のそのような要素等（例えば、「ウィジェット」のみが参照されている場合であっても第１のウィジェット及び第２のウィジェット）であり得る。
【００１５】
本明細書中において、範囲は、「約（ａｂｏｕｔ）」１つの特定値から及び／又は「約」別の特定値までと表現され得る。そのような範囲が表現されるとき、別の態様は、１つの特定値から及び／又は他の特定値までを含む。同様に、値が前置詞「約（ａｂｏｕｔ）」又は「実質的に（ｓｕｂｓｔａｎｔｉａｌｌｙ）」の使用により概算値として表現されるとき、特定値は別の態様を成すことは理解されるであろう。各範囲の終点は他の終点に対して、及び他の終点から独立して、の両方において有意であることは更に理解されるであろう。
【００１６】
本開示の目的で、特定の測定尺度で約Ｘ又は実質的にＸである材料の性質又は寸法は、Ｘプラス特定測定値の業界標準上限公差とＸマイナス特定測定値の業界標準下限公差との間の範囲内である。公差は異なる材料、プロセス間、及び異なるモデル間で異なり得るため、特定の構成要素の特定の測定値の公差は、様々な公差の範囲内にあり得る。
【００１７】
本明細書で使用する場合、「任意の（ｏｐｔｉｏｎａｌ）」又は「任意選択的に（ｏｐｔｉｏｎａｌｌｙ）」という用語は、続いて記載されるイベント又は状況が起こり得る又は起こり得ないこと、及びこの記載が前記イベント又は状況が起こる例と起こらない例とを含むことを意味する。
【００１８】
本明細書で使用する場合、「又は（ｏｒ）」という語は、特定の一覧の任意の１つの部材を意味し、又、その一覧の部材の任意の組み合わせを含む。本明細書で使用する場合、「Ａ及びＢのうちの少なくとも１つ（ａｔ  ｌｅａｓｔ  ｏｎｅ  ｏｆ  Ａ  ａｎｄ  Ｂ）」という文言は、「Ａのみ、Ｂのみ、又はＡ及びＢの両方（ｏｎｌｙ  Ａ，ｏｎｌｙ  Ｂ，ｏｒ  ｂｏｔｈ  Ａ  ａｎｄ  Ｂ）」を意味し、「Ａ及びＢのうちの１つ（ｏｎｅ  ｏｆ  Ａ  ａｎｄ  Ｂ）」という文言は、「Ａ又はＢ（Ａ  ｏｒ  Ｂ）」を意味する。
【００１９】
開示されるのは、開示される方法及びシステムを実施するために使用され得る構成要素である。これら及び他の構成要素は本明細書中に開示され、これら構成要素の組み合わせ、部分集合、相互作用、群等が開示される一方で、これらの各様々な個々の及び集合的な組み合わせ及び順列の特定の参照が明示的に開示されない場合、全ての方法及びシステムについて、そのそれぞれは本明細書中に具体的に企図され、記載されるものであることは理解される。このことは、開示される方法の工程を含むがこれに限定されない本出願の全ての態様に当てはまる。したがって、実施され得る様々な付加的な工程がある場合、これら付加的な工程のそれぞれは、開示される方法の任意の特定の態様又は態様の組み合わせとともに実施され得ることは理解される。
【００２０】
本明細書中に開示される様々な要素の説明を簡略化するために、「左（ｌｅｆｔ）」、「右（ｒｉｇｈｔ）」、「前部（ｆｒｏｎｔ）」、「後部（ｒｅａｒ）」、「上部（ｔｏｐ）」、「底部（ｂｏｔｔｏｍ）」、「上方（ｕｐｐｅｒ）」、「下方（ｌｏｗｅｒ）」、「内側（ｉｎｓｉｄｅ）」、「外側（ｏｕｔｓｉｄｅ）」、「内側（ｉｎｂｏａｒｄ）」、「外側（ｏｕｔｂｏａｒｄ）」、「水平（ｈｏｒｉｚｏｎｔａｌ）」及び／又は「垂直（ｖｅｒｔｉｃａｌ）」の規則について言及し得る。特に明記しない限り、「前部」は、製氷機のユーザに最も近く且つこのユーザによって占められる製氷機の端部を表し、「後部」は、前部の反対側又は遠位の端部であり、「左」は、製氷機の前に立ち、前部の方に向いている人物の左側、又は左に面する側であり、「右」は、この同じ人物の右側、又は右に面する側である。「水平」又は「水平の向き（ｈｏｒｉｚｏｎｔａｌ  ｏｒｉｅｎｔａｔｉｏｎ）」は、左から右に延び、地平線と整列した平面内にあることを表す。「垂直」又は「垂直の向き（ｖｅｒｔｉｃａｌ  ｏｒｉｅｎｔａｔｉｏｎ）」は、水平に対して９０度の角度を成す平面内にあることを表す。
【００２１】
開示されるのは、超音波容器センサを有する製氷機、並びに関連する方法、システム、デバイス、及び様々な装置である。製氷機は、アイスメーカと貯蔵容器とを含み得る。開示される製氷機は、多くの態様の中のほんのいくつかの例示的な態様について記載されることは当業者には理解されるであろう。特定の専門用語又は記載が、本開示又はそれにより発生する任意の請求項の範囲を限定するものと考えるべきではない。
【００２２】
図１は、本開示の一態様による製氷機１００の正面斜視図である。製氷機１００は、アイスメーカ１１０と貯蔵容器１９０とを含み得る。アイスメーカ１１０は氷を製作するように構成することができ、氷は、重力によって下方に貯蔵容器１９０へと供給され得る。貯蔵容器１９０は、貯蔵容器区画内の低温を維持し、氷が溶けるのを防ぐために断熱され得る。いくつかの態様では、貯蔵容器１９０は冷却することが可能であり、他の態様では、貯蔵容器１９０は冷却されないことが可能である。貯蔵容器１９０は、その内壁によって形成される内部空洞を画定することができる。
【００２３】
アイスメーカ１１０は外部ケーシング１２０を含むことができ、外部ケーシング１２０は、アイスメーカ１１０及びその内部構成要素を収容するように構成され得る。図示されているように、外部ケーシング１２０は、前部パネルアセンブリ１２２を含み得る。前部パネルアセンブリ１２２は、アイスメーカ１１０のメーカ上端部１１２からメーカ下端部１１４まで、及びアイスメーカ１１０のメーカ左側部１１６ａからメーカ右側部１１６ｂまで延びることができる。前部パネルアセンブリ１２２は、空気入口開口部１８０を画定することができ、エアフィルタ１２４を含み得る。空気入口開口部１８０及びエアフィルタ１２４はアイスメーカ１１０の外部から清浄空気の形態でアイスメーカ１１０の通気を提供するように構成され得る。
【００２４】
貯蔵容器１９０は容器上端部１９２を画定することができ、容器上端部１９２上に、アイスメーカ１１０のメーカ下端部１１４が取り付けられ得る。貯蔵容器１９０は、容器上端部１９２に近接して位置する容器扉１９４を含むことができ、容器扉１９４は、貯蔵容器１９０内に画定される容器貯蔵区画（図示せず）へのアクセスを提供することができる。
【００２５】
図２Ａは、外部ケーシング１２０（図１に示される）を取り外した図１のアイスメーカ１１０の正面斜視図である。本態様では、アイスメーカ１１０は、例えば空気入口開口部１８０（図１に示される）を通じて外部ケーシング１２０内に空気を循環させることにより冷却され得る空冷式モデルであり得る。いくつかの態様では、アイスメーカ１１０は水冷式モデルであり得る、又は冷却用の遠隔凝縮ユニットに結合され得る。本態様では、アイスメーカ１１０は、アイスメーカ１１０内に空気を循環させるように構成され得るファンアセンブリ２８０を含み得る。アイスメーカ１１０及びその本体２００は、外部ケーシング１２０の下又は内部において、湿潤区画２０２と乾燥区画２０４とに区画化することができ、フレーム２０１及び基部ケース２０５を更に含み得る。湿潤区画２０２は主に、断熱され得る蒸発器ケース２０６によって画定され得る。蒸発器ケース２０６は、アイスメーカ１１０に送られ且つその中を循環する液体水から氷を形成するように構成され得るアイスメーカ１１０の水回路４５０（図３に示される）の構成要素の大部分を収容することができる。蒸発器ケース２０６の蒸発器区画３０６（図２Ｂに示される）は断熱され得る。蒸発器ケース２０６は、例えば、限定されることなく、蒸発器区画３０６を部分的に収容し、断熱することができる取り外し可能な前部断熱材２０８及び取り外し可能な上部断熱材２１０を含み得る。前部断熱材２０８又は上部断熱材２１０のいずれかはパネル又は断熱パネルであり得る。付加的に、タンク２１４、及び蒸発器ケース２０６の蒸発器壁２０７ａ、ｂ（２０７ａは図２Ｂに示される）は断熱され得る。
【００２６】
水回路４５０は、蒸発器区画３０６の外部の位置においてタンク２１４上に又はタンク２１４に隣接して取り付けられ得る水ポンプ２１２を含み得る。水ポンプ２１２を収容するタンク２１４の一部分は、断熱されないことが可能である。タンク２１４は蒸発器壁２０７ａ、ｂの下に配置され得る。水ポンプ２１２は、タンク２１４から上方に、水が氷へと形成され得る蒸発区画内に水を圧送するように構成され得る。
【００２７】
乾燥区画２０４内には、例えば、限定されることなく、圧縮器２２０、乾燥器２２２、及び凝縮器２２４を含む、アイスメーカ１１０の冷却回路４００（図３に示される）の構成要素の大部分が収容され得る。圧縮器２２０は圧縮器基部２２６に取り付けることができ、圧縮器基部２２６は、圧縮器をより直接的に取り付けることができる水平圧縮器基部パネルを含み得る。圧縮器基部２２６は基部ケースカバー２２８を含み得る。乾燥区画２０４内において、冷却回路４００内を流れる冷媒は圧縮器２２０によって圧縮することができ、その後、温度自動膨張弁などの膨張デバイス２４０（図３に示される）を通って供給される前、蒸発器区画３０６内に収められた蒸発器３１０に供給される前に、凝縮器２２４内で液体状態に冷却することができる。付加的に、メインコントローラ２３２と容器コントローラ１１３０とを含み得るアイスメーカ１１０の制御ボックス２３０は乾燥区画２０４内に収められ得る。メインコントローラ２３２及び容器コントローラ１１３０のいずれかは、図示されるような制御盤を含み得る。超音波容器センサ２９０は乾燥区画２０４内から設置することができ、圧縮器基部２２６内に延びることができる。例えば、限定されることなく、超音波容器センサ２９０は、センサを支持する型番ＴＫ０１４３−０００であり得る又はこれを含むことができ、Ｇｕａｎｄｏｎｇ，Ｃｈｉｎａに所在のＡｕｄｉｏｗｅｌｌ  Ｅｌｅｃｔｒｏｎｉｃｓ（Ｇｕａｎｇｄｏｎｇ）Ｃｏ．，Ｌｔｄ．から入手可能である。
【００２８】
図２Ｂは、蒸発器ケース２０６の前部断熱材２０８及び上部断熱材２１０並びに圧縮器基部２２６の基部ケースカバー２２８を更に取り外した図２のアイスメーカ１１０の正面斜視図である。前部断熱材２０８及び上部断熱材２１０を取り外すことにより、蒸発器区画３０６を露出させることができる。蒸発器３１０及びスプレーチューブ３１２は、蒸発器壁２０７ａと蒸発器壁２０７ｂとの間の蒸発器区画３０６内に収容され得る。
【００２９】
冷却回路４００は蒸発器３１０を含むことができ、蒸発器３１０内で液体冷媒を気相に蒸発させることより蒸発器区画３０６を水の凍結温度未満に冷却することができる。液体水は水ポンプ２１２によりスプレーチューブ３１２まで圧送することができ、そこで液体水を蒸発器３１０に向かって噴霧し、氷を形成することができる。吸引ホース５６０は、氷を製作するための水の供給源を提供するために、水ポンプ２１２をタンク２１４に結合することができる。本体２００、具体的には、少なくとも基部ケース２０５は、アイスメーカ１１０のメーカ下端部１１４に底部開口部３８１４を画定することができる。
【００３０】
図３は、図１のアイスメーカ１１０の冷却回路４００の各様々な構成要素と水回路４５０の各様々な構成要素との間の相互作用及び相互接続を示す回路図である。図示されるように、水回路４５０は、入口水弁３５２と、クリーニング弁３５４と、排水弁３５６とを更に含み得る。
【００３１】
図４は、例示的な一態様における角氷４９０の斜視図を示す。いくつかの態様では、図示されるように、角氷４９０は、少なくとも一部、三日月形を画定することができる。いくつかの態様では、角氷４９０は非三日月形を画定することができる。角氷４９０は、高さＨ、幅Ｗ、及び深さＤを画定することができる。いくつかの態様では、高さＨは、約１．５インチ（約３８．１ミリメートル）とすることができ、幅Ｗは、約１．１２５インチ（約２８．６ｍｍ）とすることができ、深さＤは、約０．５インチ（約１２．７ｍｍ）とすることができる。他の態様では、角氷４９０は、任意の寸法をより小さく又はより大きくすることができ、且つ角氷４９０が同一でないように様々な形状を有することができる。
【００３２】
蒸発器３１０の下に配置されている角氷ガイド５５０（図７に示される）は、重力下で蒸発器ケース２０６から下方に出て角氷用開口部５５２（図７に示される）を出る角氷４９０を案内するように構成され得る。角氷用開口部５５２を通って出る角氷４９０は、圧縮器基部２２６（図２Ａに示される）の下に排出され得る。アイスメーカ１１０（図１に示される）は、貯蔵容器１９０の開口部（図示せず）を圧縮器基部２２６の下に位置合わせすることができるように、貯蔵容器１９０（図１に示される）の上に配置され得る。角氷用開口部５５２から落下する角氷４９０は圧縮器基部２２６の下に落ちて貯蔵容器１９０の開口部に入り、貯蔵容器１９０を満たすことができる。
【００３３】
図５は、図１のアイスメーカ１１０のメーカ下端部１１４の底面斜視図である。図示されるように、タンク基部６０２と基部ケース２０５はともに、メーカ下端部１１４及び底部開口部３８１４を画定することができる。底部開口部３８１４は、貯蔵容器１９０（図１に示される）の容器上端部１９２（図１に示される）の開口部（図示せず）と位置合わせされ得る。アイスメーカ１１０によって製作された角氷４９０は、底部開口部３８１４を通って貯蔵容器１９０内に落下することができる。超音波容器センサ２９０は圧縮器基部２２６内に延び、底部開口部３８１４の上方に配置され得る。前述のように、貯蔵容器１９０内の角氷４９０のレベルを測定するために、超音波容器センサ２９０は超音波を、底部開口部３８１４を通して貯蔵容器１９０へと下方に送信することができる。
【００３４】
既存の製氷機では、典型的には、貯蔵容器１９０内の角氷４９０の山のレベルを測定するために貯蔵容器１９０内に配置されるレベル検出器（容器制御と呼ばれることもある）を使用する。レベル検出器は、典型的には、上昇する角氷４９０のレベルによって持ち上げられるアーム若しくはパドルを含み得る機械式、又は角氷４９０の物理的存在を熱的に検知する電球を含み得るサーモスタット式であり得る。機械式及びサーモスタット式のレベル検出器又は容器制御は両方とも、貯蔵容器１９０が十分に満杯でない場合でもレベル検出器の内部又は周囲における氷の蓄積などにより不具合を起こしやすくなり得る。加えて、レベル検出器を貯蔵容器内に配置することにより（この場合、通常、レベル検出器をメーカ下端部１１４の下に配置することが必要である）、レベル検出器は、貯蔵容器を開けるユーザによる故意のいたずら又は偶発的な損傷に曝される可能性がある。いずれの場合においても、機械式又はサーモスタット式のレベル検出器は、一般に、現場で設置しなければならず、一般に、工場で事実上設置することはできない。更に、レベル検出器は電気スイッチを動作させることが必要な場合があり、且つ貯蔵容器は、電気部品内に不具合を生じさせるおそれのある低温及び湿潤環境である。加えて、レベル検出器は、貯蔵容器１９０の内部で露出した配線の使用を必要とし得る。
【００３５】
超音波容器センサ２９０をアイスメーカ１１０内且つ底部開口部３８１４の上方に配置することによって、貯蔵容器１９０にアクセスするユーザの視界から超音波容器センサ２９０を隠すことができ、それにより、いたずら又はその他の損傷の標的になる可能性を低くする。加えて、超音波容器センサ２９０をメーカ下端部１１４の上方に且つ貯蔵容器１９０の外に配置することができ、ユーザが貯蔵容器１９０から氷を取り出すことによる氷バケツ又は氷スコップでの衝撃などの偶発的な損傷から超音波容器センサ２９０を保護することができる。超音波容器センサ２９０の電子接続部も又、アイスメーカ１１０の乾燥区画２０４（図２Ａに示される）内に配置することができ、乾燥区画２０４は、通気されるとともに水及び氷から保護することができ、それにより、電機部品の故障の可能性が低下する。
【００３６】
図６に示すように、超音波容器センサ２９０は、貯蔵容器１９０内に蓄積された角氷４９０の山６００の上端部６０１のレベルを監視するように構成され得る。超音波容器センサ２９０は、超音波を氷に向かって下方に送信し、角氷４９０から反射された超音波を受信することにより近接センサとして機能し得る。超音波容器センサ２９０の出口により画定されるレベル位置Ａから角氷４９０のレベルにより画定されるレベル位置Ｂまでの距離６１０は、リターン信号と称することができわずか６ミリ秒以下という短さであり得るリターン超音波の移動時間から決定することができる。超音波容器センサ２９０は、制御ボックス２３０、具体的にはメインコントローラ２３２と電子通信することができる。貯蔵容器１９０内の角氷４９０のレベルが、所望の、及び技術者若しくはアイスメーカ１１０のユーザによって設定された、又は更には工場で設定されたままの予定値であり得る停止高さに達すると、超音波容器センサ２９０からの信号をメインコントローラ２３２により受信することができ、メインコントローラ２３２は氷作製プロセスを止め、それにより、角氷４９０の更なる製作を停止することができる。氷が溶ける又は氷が貯蔵容器１９０から取り出されるにつれて、レベルは補充高さに達し得る。貯蔵容器１９０内の角氷４９０のレベルが補充高さに達すると、超音波容器センサ２９０はメインコントローラ２３２に信号を送ることができ、メインコントローラ２３２は氷作製プロセスを再開して貯蔵容器１９０に角氷４９０を補充することができる。補充高さは、所望の、及び技術者若しくはアイスメーカ１１０のユーザによって設定された予定値であり得る、又は補充高さは、制御ボックス２３０内若しくは別の場所に配置され得る容器コントローラ１１３０（図１１に示される）にプログラムされ、容器コントローラ１１３０（図１１に示される）によって別々に制御され得る。
【００３７】
図７は、アイスメーカ１１０内における超音波容器センサ２９０の相対位置を示す。より具体的には、超音波容器センサ２９０は、基部ケース２０５の一部とみなされ得る圧縮器基部２２６の上面２２６１と下面２２６２との間に設置することができる。より具体的には、いくつかの態様では、超音波容器センサ２９０のレンズ１４３０（図１６に示される）は、アイスメーカ１１０のメーカ下端部１１４から８インチのオフセット距離７７０オフセットさせることができ、これにより、貯蔵容器１９０、及びアイスメーカ１１０のメーカ下端部１１４に接触及び更には衝突する可能性のある他の何らかのものに近接させて超音波容器センサ２９０を配置しないことにより超音波容器センサ２９０の保護を最大にする傾向がある。他の態様では、オフセット距離７７０はゼロであり得る又は別の距離であり得る。しかしながら、本明細書中に開示されるように、超音波容器センサ２９０がアイスメーカ１１０のメーカ下端部１１４から離されるときだけではないが特にそのようなとき、且つ本明細書中に開示される改良形態の１つ以上がない状態において、超音波容器センサ２９０又は容器コントローラ１１３０は、製氷機１００の表面上の水滴及び他の物質を氷と混同する可能性がある。ピエゾ素子を含むピエゾ超音波センサであり得る超音波容器センサ２９０は高周波信号を放出することができる。いくつかの態様では、超音波容器センサにより放出される信号は、６０ＫＨｚの周波数を有し得る。いくつかの態様では、周波数は、６０ＫＨｚ超又は未満であり得る。いくつかの態様では、例えば、限定されることなく、周波数は少なくとも５５ｋＨｚであり得る。いくつかの態様では、周波数は少なくとも６０ｋＨｚであり得る。いくつかの態様では、周波数は５５〜８０ｋＨｚであり得る。いくつかの態様では、周波数は８０ｋＨｚよりも高くすることができるが、周波数を増加するとセンサ性能のばらつきが増加し得ることに留意されたい。数ある仕様の中でも、超音波容器センサのエコー感度は８０ミリボルトとすることができ、静電容量は１６５０ピコファラドであり得る。
【００３８】
超音波容器センサ２９０により放出される信号はビューイングコーン（視円錐）７１０を画定することができ、ビューイングコーン７１０は、視野角７２０を画定する３次元円錐の形状を有し得る。超音波容器センサ２９０のビューイングコーン７１０は、超音波容器センサ２９０の「指向性」でもあり得る。ビューイングコーン７１０は、超音波容器センサ２９０のレンズ１４３０（図１６に示される）を受け入れることができる又は含むことができる、超音波容器センサ２９０の第１の端部１４１５（図１７に示される）において又はこれに近接して発生し得る。いくつかの態様では、ビューイングコーン７１０の視野角７２０は８０度であり得る。他の態様では、ビューイングコーン７１０の視野角７２０は８０度未満であり得るが、超音波容器センサ２９０が貯蔵容器１９０内の氷を適切に「見る」能力に影響しないように視野角７２０が小さすぎない又は狭すぎないことが有利であり得る。他の態様では、ビューイングコーン７１０の視野角７２０は８０度よりも大きくすることができるが、以下に記載する理由から、ビューイングコーン７１０が超音波容器センサ２９０の伝送信号を反射して超音波容器センサ２９０に戻すことができる表面を呈するアイスメーカ１１０のあらゆる部分と交わるほど視野角７２０が大きくならないことが有利であり得る。いくつかの態様では、視野角７２０は、５、１０、１５、又は２０度の角度公差を有することができ、視野角７２０は、所定若しくは設定視野角プラス又はマイナス公差であり得る。いくつかの態様では、視野角７２０は任意の他の値の角度公差を有し得る。いくつかの態様では、超音波容器センサ２９０の位置によって、アイスメーカ１１０又は貯蔵容器１９０の幾何学的形状がビューイングコーン７１０内に入ることになり得る。例えば、限定されることなく、圧縮器基部２２６及び基部ケース２０５の内壁７５０又はアイスメーカ１１０若しくは貯蔵容器１９０の任意の他の内壁若しくは壁はビューイングコーン７１０内に入り得る。上述のように、角氷４９０は、一般に、山６００を形成し、山６００は、山６００の最高点であり得る上端部６０１を画定する。超音波容器センサ２９０のビューイングコーン７１０は、氷製作設定の適時の変更を開始するために、センサの真下にない氷を「見る」ことができるとともに、上端部６０１又は上端部６０１に十分に近いところでも見ることができる。
【００３９】
図８に示すように、超音波容器センサ２９０は、圧縮器基部２２６の下面２２６２に画定される開口部（図示せず）内に配置され得る。寸法Ａ、Ｂ、Ｃ、及びＤは、より具体的には、底部開口部３８１４を含むアイスメーカ１１０の周囲幾何学的形状に対する超音波容器センサ２９０の位置を画定し得る。アイスメーカ１１０のメーカ下端部１１４から見ると、超音波容器センサ２９０は、底部開口部３８１４によって形成された形状内に配置され得る。いくつかの態様では、典型的なアイスメーカ１１０では、寸法Ｃ及び寸法Ｄが約２０３ｍｍ〜約２５４ｍｍ（約８〜約１０インチ、又は底部開口部３８１４の前部から後部までのほぼ中間点）であると有利であり得る。１つの特定のサイズのモデルでは、図示されるように、寸法Ｃは２３０ｍｍ（９．１インチ）であり得るとともに、寸法Ｄは２０９ｍｍ（８．２インチ）であり得る。いくつかの態様では、製造性、保守性、及び他の利点を得るために、圧縮器基部２２６の下面２２６２のみに画定されるだけでなく、圧縮器基部２２６の上面２２６１（図７に示される）にも画定され且つ延びる上述の開口部内の、冷媒回路４００の構成要素間の空間が存在する場所に超音波容器センサ２９０を配置すると有利であり得る。寸法Ｂは様々な値の範囲内にあり得るとともに、内壁７５０の近くに位置づけることができるが、寸法Ａは、超音波容器センサ２９０の伝送信号を反射して超音波容器センサ２９０に戻すことができる表面を呈するアイスメーカ１１０のあらゆる部分（例えば、限定されることなく、吸引ホース５６０など）とビューイングコーン７１０が交わらないほど十分に大きいと有利であり得る。Ｈｏｓｈｉｚａｋｉ  Ａｍｅｒｉｃａ，Ｉｎｃ．より入手可能な型番ＫＭ−６６０ＭＡＪとして示され、販売されているような１つの特定のサイズのモデルでは、寸法Ａは、２２８ｍｍ（９．０インチ）であり得る。更に他の態様では、超音波容器センサ２９０は、例えば、限定されることなく、貯蔵容器１９０又は別の周囲構造の取付け面を使用し、超音波容器センサ２９０をアイスメーカ１１０に取り付けることなく貯蔵容器１９０の上方に配置され得る。
【００４０】
アイスメーカ１１０の内壁７５０が清潔で乾燥している場合、内壁７５０に衝突するあらゆる超音波信号は内壁７５０から単に反射され、下の貯蔵容器１９０へと下方に進むことができ、超音波容器センサ２９０に向かって反射して戻ることはできない。しかしながら、いくつかの態様では、図９に示すように、内壁７５０の表面が、リターン信号９６０を超音波容器センサ２９０に向かって反射して戻すことができる物質９９０で覆われている場合がある。例えば、限定されることなく、内壁７５０の表面は少なくとも部分的に水分で覆われている場合がある。図示されるように、水分は、例えば、限定されることなく、角氷４９０が貯蔵容器１９０に落下し、ビューイングコーン７１０内の内壁７５０の一部分に対して水を跳ね上げたときに形成し得る水滴９９０の形態であり得る。他の態様では、不適切な清掃によりビューイングコーン７１０内の内壁７５０上に汚染を形成し得る。例えば、いくつかの態様では、及び不適切な清掃により、内壁７５０の表面は、例えば、パンが作製される環境において時間の経過とともに形成し得る「ぬめり」で少なくとも部分的に覆われる場合があり、パン作製プロセスで使用される酵母は、内壁７５０上に軟質及び／又は粘着性の残渣の形態で顕在化する細菌の増殖を引き起こす場合がある。いくつかの態様では、同じく不適切な清掃により、内壁７５０の表面は、貯蔵容器１９０内に典型的に存在し得る多湿で暗い環境内に時間の経過とともに形成し得るカビで少なくとも部分的に覆われる場合がある。いくつかの態様では、内壁７５０の表面は、一部の設置環境で見られる「硬」水中のミネラルから形成し得る水垢で少なくとも部分的に覆われる場合があり、水垢は、内壁７５０上に硬質な残渣の形態で顕在化する。いくつかの態様では、アイスメーカ１１０の実装面積が貯蔵容器１９０の容器上端部１９２（図１に示される）よりも大きい、又は貯蔵容器１９０の容器上端部１９２（図１に示される）から外側に向かってオフセットしている、のいずれかである場合を含め、貯蔵容器１９０の壁の垂直面又は水平面又は縁部（例えば、限定されることなく、ディスペンサの壁を含む）は、ビューイングコーン７１０内に入り得る。
【００４１】
同じく図９に示されるように、リターン信号９６０は、伝送信号が送られる時間（例えば、秒で測定）に対するその強度（例えば、電圧で測定）により図表で示すことができる。そのような時間測定値は、超音波容器センサ２９０からリターン信号９６０の特定成分の源、すなわち、超音波容器センサ２９０によって「見られ」、そのリターン信号９６０の特定成分を反射する物体までの物理的距離に対応し得る及び概ね対応する。例えば、示されるように超音波容器センサ２９０に最も近接し得るリターン信号９６０のピーク９６１は、超音波容器センサ２９０がリターン信号９６０の要素として検知する、超音波容器センサ２９０により作成された単なる伝送信号であり得る（すなわち、元の超音波「パルス」）。リターン信号９６０のピーク９６３は、貯蔵容器１９０内で山６００を形成している角氷４９０から反射される超音波パルスの一部によって形成され得る。ピーク９６１とピーク９６３との間に、内壁７５０上の物質９９０の存在により生じるピーク９６２などの別のピークが形成し得る。同様に図１５において反射される、超音波容器センサ２９０を出る際の伝送信号は、例えば、限定されることなく、約２．５Ｖであり得る。超音波容器センサ２９０から３０インチ離れた試験距離において、リターン信号９６０、及び特に、山６００を形成している角氷４９０の反射であるピーク９６３は、約１．０Ｖであり得る。リターン信号９６０を処理するとき、コントローラ１１３０は、測定された電圧を閾値電圧値１０１０（図１０Ａに示される）と比較するアナログコンパレータを使用することができる。
【００４２】
図１０Ａ及び図１０Ｂに示すように、超音波容器センサ２９０がどのように制御されるかに応じて、及び特に、リターン信号９６０がどのように処理されるかに応じて、水滴９９０によりアイスメーカ１１０は異なるように動作する。リターン信号９６０のピーク９６２は、内壁７５０上に水滴だけでなく水垢又は「ぬめり」が存在することを示し得る。いずれの場合においても、図１０Ａに示すように、リターン信号９６０は、信号「雑音」を示す谷１０９０をフィルタリングする（即ち除外する）ように設定された０．５Ｖの閾値電圧１０１０をそれぞれ超える、ピーク９６２及びピーク９６３をそれぞれ含み得る。しかしながら、ピーク９６２及びピーク９６３の両方が閾値電圧１０１０を超えるため、ピーク９６２及びピーク９６３の両方は、それ自体、氷が容器内で満杯の貯蔵容器１９０の高さを超える高さ（又はセンサから角氷４９０の山６００の上端部６０１までの対応する距離６１０）に達したことをアイスメーカ１１０に知らせることができる。これは、内壁７５０（図７に示される）上に存在するあらゆる水滴９９０又は他の種類の物質９９０が、一般に、所望の最大氷容器レベル設定より上方にあることで起こり得る。超音波容器センサ２９０自体は角氷４９０と、アイスメーカ１１０の内壁７５０上の任意の物質９９０又は内壁７５０自体との間を区別することができないため、これは貯蔵容器１９０が角氷４９０で満杯になっていない場合でも起こり得る。いくつかの態様では、コントローラの閾値電圧設定は、超音波容器センサ２９０から３０インチ又は最大氷検知距離６１０において、リターン信号９６０に又はリターン信号９６０の約５０％に設定され得る。他の態様では、コントローラの閾値電圧設定は、そのような距離６１０において、リターン信号９６０の強度の４０％〜５０％の範囲内にあり得る。他の態様では、コントローラの閾値電圧設定は、そのような距離６１０において、リターン信号９６０の強度の５０％〜６０％の範囲内にあり得る。他の態様では、コントローラの閾値電圧設定は、そのような距離６１０において、リターン信号９６０の強度の３０％〜６０％の範囲内にあり得る。
【００４３】
しかしながら、アイスメーカ１１０は、超音波容器センサ２９０により捕捉されたリターン信号９６０の様々な成分間を区別するように構成され得る。図１０Ｂに示すように、リターン信号９６０は、音響パルスから電圧に変換されると、検知された物体の距離及び信号の強度に基づき効果的にフィルタリングされ得る。いくつかの態様では、図示されるように、１０インチ以下の距離６１０（図６参照）に対応する時間範囲内では、３００マイクロ秒フィルタを使用することができ、１０インチを超える距離６１０に対応する時間範囲外では、５０マイクロ秒フィルタを使用することができる。距離閾値１０２０は、どのフィルタ又は時間遅延が使用されるかを定義することができる。より具体的には、距離閾値１０２０よりも近い物体までの物体距離（すなわち、図１０Ｂの図表のＸ軸寸法）の測定によって形成されるリターン信号９６０の一部分は、第１のフィルタを使用してフィルタリングすることができ、距離閾値１０２０よりも遠い物体の測定によって形成されるリターン信号９６０の一部分は、第２のフィルタを使用してフィルタリングされ得る。５０マイクロ秒フィルタは、特に、製氷機１００内又は周囲の任意の源からの電気雑音を回避するために使用され得る。実際の試験測定値に基づくと、貯蔵容器１９０に貯蔵された角氷４９０の山６００からのリターン信号は、３００マイクロ秒よりも長く閾値電圧１０１０を概ね超える一方で、水滴、水垢、又はぬめりからのリターン信号は、典型的には、約２００マイクロ秒以下にわたり閾値電圧１０１０を超える。したがって、いくつかの態様では、フィルタは、フィルタを低減するにつれて増加する雑音のリスクを単に伴い、２００マイクロ秒、又は更にはこれ未満（例えば、１７５マイクロ秒、２００マイクロ秒、２２５マイクロ秒、２５０マイクロ秒、又は２７５マイクロ秒）に近い任意の値に低減することができる。いくつかの態様では、上述のフィルタ値（例えば、２５０〜３００マイクロ秒の範囲内）により境界される範囲を含む３００マイクロ秒を上回る又は下回る値の範囲が使用され得る。ユーザの手がビューイングコーン７１０内に捕捉された場合、氷と同様に、３００マイクロ秒よりも長く閾値電圧１０１０を概ね超える。超音波容器センサ２９０から最初の１０インチ（２５４ミリメートル）においてフィルタを３００マイクロ秒に設定すると、例えば、超音波容器センサ２９０が、内壁７５０上に通常より多い量の物質９９０を実際には検知しているときに満杯の容器を検知することにより生じる誤警報のリスクを低下させることができる。加えて、アイスメーカ１１０の位置により貯蔵容器１９０の壁の垂直面又は水平面又は縁部が露出する場合、リターン信号中に生じる電気雑音も同様に、本明細書中に記載される超音波容器センサ２９０又はコントローラ１１３０（図１１に示される）（これらの両方は、容器制御システムをともに形成し得る）のパラメータを調節することによりフィルタリングすることができる。
【００４４】
リターン信号９６０の電圧が閾値電圧１０１０を超えることを超音波容器センサ２９０が検知すると、コントローラ（この場合は、容器コントローラ１１３０）は、電圧が閾値電圧１０１０を上回ったままである時間の長さを測定するように構成されたカウンタ又はタイマを始動することができる。３００又は５０マイクロ秒の時間遅延が経過する前にリターン信号９６０の電圧が閾値電圧１０１０を下回って低下する場合、コントローラ１１３０はリターン信号９６０のその成分を無視することができる。リターン信号９６０の電圧が十分に長く（すなわち、１つの時間遅延又は他の時間遅延に対応する時間／距離範囲が過ぎた）閾値電圧１０１０を上回ったままである場合、コントローラ１１３０は、したがって、超音波容器センサ２９０を介し、物体を氷として「見る」ことができ、その後、対応する信号を、メインコントローラ２３２を介してアイスメーカに送信し、制御盤がどのようにプログラムされているかに基づき、且つ選択された制御盤の設定１〜５に基づき、製氷機の氷製作設定をオン又はオフにすることができる。いくつかの態様では、コントローラ１１３０は、１つのみのリターン信号９６０を使用する又は処理するように構成され得る。いくつかの態様では、コントローラ１１３０は、本明細書に記載されるように、複数のピーク９６１、９６２、９６３で最小数の２つ以上のリターン信号９６０又は単一信号を使用するように構成され得る。
【００４５】
コントローラ１１３０と電気通信する超音波容器センサ２９０は、所与の時間内に特定数の音響パルスを放出するように構成され得る。いくつかの態様では、音響パルスは、２００ミリ秒毎に超音波容器センサ２９０により送信され得る。いくつかの態様では、音響パルスは、より多い頻度で又はより少ない頻度で送信され得る。いくつかの態様では、超音波容器センサ２９０は、選択された間隔（この場合は２００ミリ秒）内に５パルスを放出することができる。他の態様では、超音波容器センサ２９０は、より多数のパルスを放出することができるが、パルスの数を特定のレベルに（例えば、１６パルスに）増加すると、特定の条件下で、コントローラ１１３０が雑音及び上述の伝送信号をフィルタリングする能力に影響し得る。本明細書中に記載されるコントローラ１１３０及び超音波容器センサ２９０の適合により、アイスメーカ１１０は、貯蔵容器１９０内の角氷４９０の山６００により作成された音響「シグネチャ」と、内壁７５０上の任意の物質９９０、又は類似の効果を有する製氷機１００の別の場所の任意の材料により作成された音響「シグネチャ」との間を効果的に区別することができる。物質９９０の検知により生じるピーク９６２は、一般に、弱すぎて又は継続時間が短すぎて（又はこれらの両方）氷の山として見えない。これに対し、山６００の検知により生じるピーク９６３は、一般に、氷として見えるほど十分に強く、それにより、山６００が所望のレベルに達すると、アイスメーカ１１０のコントローラ１１３０及びメインコントローラ２３２に氷製作を一時停止させる。
【００４６】
図１１〜図１３に示すように、レベル位置Ｂ（図６に示される）に対応し得る停止高さは、コントローラ１１３０に取り付けられたポテンショメータ上に取り付けられた又はこれに組み込まれたダイヤルを含み得る調節器１１４０によって、いくつかの容器制御設定のうちの任意の１つに調節することができる。いくつかの態様では、コントローラ１１３０は、図示されるように、別個の容器制御盤であり得る。いくつかの態様では、コントローラ１１３０はメインコントローラ２３２に組み込まれ得る。いくつかの態様では、図１２に示すように、調節器１１４０は、図示されるように１、２、３、４、及び５とラベルが付され得る５つの異なる容器制御設定のうちのいずれか１つに配置され得る。他の態様では、調節器１１４０は、５つより少ない又は多い容器制御設定を有し得る。図１３に示す表に反映されるように、一部のユーザはアイスメーカ１１０の下に氷ディスペンサユニット（図示せず）を設置する場合がある。氷をスコップにより手で取り出す代わりにレバーを押すことによって氷の供給をより自動化するように構成されている氷ディスペンサは、さもなければ、貯蔵容器１９０の別の例であると考えられ得る。
【００４７】
図１４に示すように、コントローラ１１３０は、３つの信号範囲、すなわち、満杯、窓、及び空を認識するように構成され得る。コントローラ１１３０の調節器１１４０の設定又は設定値（すなわち、１、２、３、４、又は５）は、氷検知距離６１０にも対応する「満杯」範囲の始めに対応し得る。「空」範囲は、設定値の前４インチ、又はユーザが望み得るような設定値からの任意の他のオフセット距離で開始し得る。「窓」範囲は、「満杯」範囲と「空」範囲との間の範囲であることができ、この範囲では、アイスメーカ１１０の短サイクル化（ｓｈｏｒｔ  ｃｙｃｌｉｎｇ）を防ぐために、コントローラ１１３０は容器制御の状態を変更しない。例えば、限定されることなく、より具体的には、コントローラ１１３０は、リターン信号９６０が「満杯」範囲に２秒間留まった後、容器制御状態を「満杯」に変更するように構成され得る。コントローラ１１３０は、信号が「空」範囲に３０秒間留まった場合には容器制御状態を「空」に変更することができる。同じく、「窓」範囲において、コントローラ１１３０は容器制御状態を変更しないように構成され得る。
【００４８】
図１５は、内壁７５０（図７に示される）上に水滴９９０（図９に示される）があり、貯蔵容器１９０又はその等価物内に角氷４９０がない状態における超音波容器センサ２９０からのリターン信号を表す試験データを示す。記号Ｘは、リターン信号９６０のピーク９６１に対応し得る超音波容器センサからの伝送信号、及び水滴９９０の存在を示すピーク９６２に対応し得る次の最大ピークを示す。
【００４９】
図１６及び図１７は、取付けフランジ１４２０内に画定される穴１４９０を通る単一の締結具（図示せず）により固定された本体１４１０を含み得る例示的な超音波容器センサ２９０の構造を示す。本体１４１０は、軸線１４１１と、第１の端部１４１５と、第１の端部１４１５から遠位にある第２の端部１４１６と、を画定することができる。本体１４１０の直径１４７０は、圧縮器基部２２６（図７に示される）内に画定される開口部内に収まるようなサイズにされ得る。元の超音波パルス及びリターン信号９６０を、リード線１４６０を介して伝送するために、コネクタ１４５０は、超音波容器センサ２９０をコントローラ１１３０（図１１に示される）に接続することができる。
【００５０】
図１８は、超音波容器センサ２９０の操作のフローチャートを示す。貯蔵容器１９０内の氷レベルを検知する方法は、工程１８０１〜１８２８を含み得る。超音波容器センサ２９０の操作を開始する前に導入工程１８０１及び１８０２が行われ得る。工程１８０１は、目標氷レベルを設定するためにユーザ（又は工場）が容器制御設定（例えば、容器制御設定１〜５から）を調節する又は設定することを含み得る。工程１８０２は、製氷機又はアイスメーカ１１０の電源をオンにすることを含み得る。
【００５１】
次の工程１８１１〜１８１６では、超音波容器センサ２９０の操作を開始することができる。工程１８１１は、容器コントローラ１１３０が所定の時間間隔で（例えば、２００ミリ秒毎に）電圧信号を超音波容器センサ２９０に送信することを含み得る。工程１８１２は、超音波容器センサ２９０が容器コントローラ１１３０により供給される電圧によって音響パルスを生成し、放出することを含み得る。工程１８１３は、超音波容器センサ２９０から貯蔵容器１９０内の氷の山６００、及びビューイングコーン７１０内にある周囲領域に伝送信号が移動することを含み得る。工程１８１４は、容器コントローラが、伝送信号が推測したとおりに形成されたかどうか、すなわち、超音波センサが適切な伝送信号を形成しているかどうか、又は更には、伝送信号を全く形成していないかどうかを決定することを含み得る。工程１８１４において伝送信号が予想どおりである場合、工程１８１５が開始され得る。伝送信号が予想どおりではない又は全く検出されない場合、工程１８１６を開始することができ、工程１８１６では、容器コントローラ１１３０が超音波容器センサ２９０に信号送信することができ、又は容器コントローラ１１３０は伝送信号の形状若しくは伝送信号の欠如によって単に検知することができ、容器コントローラ１１３０は氷の製作を停止するようにメインコントローラに信号送信し、その後、工程１８１１に戻ることができる。工程１８１５は、伝送信号が、氷、例えば氷の山６００の形態の氷並びに任意の周囲構造及び／又はこれらの構造上の材料から反射されることを含み得る。
【００５２】
工程１８２１〜１８２８は、伝送信号の反射後に開始することができる。具体的には、工程１８２１は、リターン信号９６０が移動して超音波容器センサ２９０に戻ることを含み得る。工程１８２２は、超音波容器センサ２９０がリターン信号９６０を受信することを含み得る。工程１８２３は、容器コントローラ１１３０が、例えば、雑音ピーク９６２をフィルタリングし、残った「氷」ピーク９６３までの測定距離を同定することによって、リターン信号９６０を処理することを含み得る。工程１８２４は、容器コントローラ１１３０が測定距離を、目標氷レベル、又は満杯の貯蔵容器１９０（又は「満杯」よりも多い又は少ない所望の氷レベルの容器）の氷検知距離６１０と比較することを含み得る。工程１８２５において、測定距離が目標氷レベル又は氷検知距離６１０以下（すなわち、容器が「満杯」レベル位置に達している）である場合、容器コントローラ１１３０は氷の製作を停止するようにメインコントローラ２３２に信号を送信し、その後、工程１８１１に折り返すことができる。測定距離が目標氷レベル又は氷検知距離６１０以下ではない場合、次の工程１８２７は、容器コントローラ１１３０が、測定距離が目標氷レベルプラス４インチを超えるかどうかを決定することを含み得る。答えがはいであれば、容器コントローラ１１３０は、氷の製作を再開するようにメインコントローラ２３２に信号送信し、その後、工程１８１１に折り返すことができる。
【００５３】
本明細書中に開示されるシステム及び方法は、個別の角氷４９０の形態の氷を製作するように構成されたアイスメーカ、すなわち、「キューバ（ｃｕｂｅｒ）」型製氷機で使用するために特に調整されているが、例えば、限定されることなく、細かくカットされたフレーク状の氷、粗くカットされた「キューブレット」フレーク状の氷、トレー又は型内で形成された氷、及び他の形態の氷を含む他の使用形態で使用するために調整することができる。
【００５４】
とりわけ、「できる（ｃａｎ、ｃｏｕｌｄ）」、「し得る（ｍｉｇｈｔ、又はｍａｙ）」などの条件付き文言は、特に明記されない限り、或いは使用される文脈内で理解されない限り、一般に、特定の態様が特定の特徴、要素及び／又は工程を含む一方で、他の態様はこれらを含まないことを伝達することを意図していることに留意されたい。したがって、そのような条件付き文言は、一般に、特徴、要素及び／若しくは工程が１つ以上の特定の態様に多少なりとも必要であること、又はこれら特徴、要素及び／若しくは工程が任意の特定の態様に含まれる若しくはこの特定の態様で実行されるかどうかを、ユーザ入力若しくはプロンプトあり若しくはなしで、決定するための論理を１つ以上の特定の態様が必ずしも含むことを示唆するものではない。
【００５５】
上述の態様は、本開示の原理の明確な理解のために単に述べる単なる実装形態例であることを強調されたい。本開示の当業者には理解されるように、流れ図内の任意のプロセス記述又はブロックは、プロセス内の特定の論理的機能又は工程を実施するための１つ以上の実行可能命令を含むモジュール、セグメント、又はコードを表すものと理解すべきであり、機能は含まれなくても又は全く実行されなくてもよく、含まれる機能性に応じて実質的に同時若しくは反対の順序を含む、図示される又は記載される順序から外れて実行されてもよい代替実装形態が含まれる。本開示の趣旨及び原理から実質的に逸脱することなく上述の実施形態に多くの変更及び修正を施してもよい。更に、本開示の範囲は、上述の全ての要素、特徴、及び態様の一切の組み合わせ及び副組み合わせを包含することを意図する。そのような修正及び変更は全て、本明細書中の、本開示の範囲内に含まれ、個々の態様又は要素若しくは工程の組み合わせに対する可能な全ての請求項は、本開示により支持されるものである。
【図１】
2020038049.tif 000003
【図２Ａ】
2020038049.tif 000004
【図２Ｂ】
2020038049.tif 000005
【図３】
2020038049.tif 000006
【図４】
2020038049.tif 000007
【図５】
2020038049.tif 000008
【図６】
2020038049.tif 000009
【図７】
2020038049.tif 000010
【図８】
2020038049.tif 000011
【図９】
2020038049.tif 000012
【図１０Ａ】
2020038049.tif 000013
【図１０Ｂ】
2020038049.tif 000014
【図１１】
2020038049.tif 000015
【図１２】
2020038049.tif 000016
【図１３】
2020038049.tif 000017
【図１４】
2020038049.tif 000018
【図１５】
2020038049.tif 000019
【図１６】
2020038049.tif 000020
【図１７】
2020038049.tif 000021
【図１８】
2020038049.tif 000022
【外国語明細書】
2020038049000001.pdf
2020038049000002.pdf
2020038049000003.pdf
2020038049000004.pdf